(57)【要約】【課題】現在の設定情報を容易に認識可能な情報記録再生装置及び設定情報の表示方法を提供すること。【解決手段】自装置に関する設定情報を記憶する記憶部と、前記設定情報を取得し、前記設定情報を所定の基準に基づいてコード化して該コード化された前記設定情報を表示部に表示する制御部と、を有することとする。また、自機に関する設定情報を取得するステップと、前記設定情報を所定の基準に基づいてコード化するステップと、コード化された前記設定情報を表示部に表示するステップと、を有することとする。【選択図】図１
2014044636.tif 000002
【特許請求の範囲】
【請求項１】
自装置に関する設定情報を記憶する記憶部と、前記設定情報を取得し、前記設定情報を所定の基準に基づいてコード化して該コード化された前記設定情報を表示部に表示する制御部と、を有することを特徴とする情報記録再生装置。
【請求項２】
前記記憶部は前記設定情報を２進記数法で記憶しており、前記所定の基準は２進記数法で記憶された前記設定情報を１６進記数法に変換することであることを特徴とする請求項１に記載の情報記録再生装置。
【請求項３】
前記制御部は前記表示部に前記設定情報を変更するための設定画面が表示されているときに、該設定画面上にコード化された前記設定情報を表示することを特徴とする請求項１又は請求項２に記載の情報記録再生装置。
【請求項４】
前記設定情報は複数のグループに分類されて前記記憶部に記憶され、前記制御部はグループ毎に前記設定情報をコード化することを特徴とする請求項１〜請求項３のいずれか１項に記載の情報記録再生装置。
【請求項５】
コード化された前記設定情報は、表示／非表示が切り替え可能であることを特徴とする請求項１〜請求項４のいずれか１項に記載の情報記録再生装置。
【請求項６】
コード化された前記設定情報は変更可能に表示されており、前記制御部はコード化された前記設定情報が変更されたときに、変更後の該コードに基づいて前記設定情報を変更することを特徴とする請求項１〜請求項５のいずれか１項に記載の情報記録再生装置。
【請求項７】
前記制御部は複数の設定項目を１区画としてコード化された前記設定情報を区切ることを特徴とする請求項１〜請求項６のいずれか１項に記載の情報記録再生装置。
【請求項８】
自機に関する設定情報を取得するステップと、
前記設定情報を所定の基準に基づいてコード化するステップと、
コード化された前記設定情報を表示部に表示するステップと、
を有する設定情報の表示方法。
【発明の詳細な説明】
【技術分野】
【０００１】
本発明は、情報記録再生装置及び設定情報の表示方法に関する。
【背景技術】
【０００２】
近年、高機能を有するＢｌｕ−Ｒａｙ  Ｄｉｓｃ（登録商標）プレイヤーやＤＶＤプレイヤー等の光ディスク装置、ハードディスク装置、ビデオカセットレコーダ等の情報記録再生装置が広く普及してきている。これら高機能を有する情報記録再生装置は、ユーザの好みに応じて様々な利用方法を提供することができる。
【０００３】
一方で、各種機能を利用するための設定が複雑化するため、一般ユーザは、現在の設定がどのような設定であるか、どの設定を変更することによって所望の機能を利用できるか、所望の機能を利用できない理由が何であるか等を即座に認識することができないという問題が発生する。そのような場合、一般ユーザはこれらの問題を解決するためにサービスセンター（コールセンター）に連絡し、オペレータ（担当者）に対して問題の解決を求めることが想定される。
【０００４】
その際ユーザは、オペレータに対して、現在の状況（例えば、所望の機能が利用できない）を説明することになるが、問題の解決のために、オペレータはユーザが使用している情報記録再生装置の現在の設定状態を知る必要がある。そこで、ユーザはオペレータの指示に従って情報記録再生装置の各種設定を確認し、設定情報をオペレータに伝達することになる。しかしながら、高機能を有する情報記録再生装置では設定項目が多岐（多画面）に渡る。従って、ユーザが各設定状態を確認するための手順が複雑であり、また、ユーザが各設定状態を逐一オペレータに伝達する必要があるため、オペレータが情報記録再生装置の現在の設定状態を把握するまでに多くの手順、時間を要するという問題があった。
【０００５】
例えば特許文献１では、情報処理装置に何らかの障害が起こった際に、装置の内部状態を診断（特定）し、ユーザの要求に応じて装置の内部状態に対応するステータスコードをディスプレイに表示することが開示されている。そしてステータスコードを一般的に呼称しやすい数字、文字列、図形等を組み合わせたもの（例えばスペードのキング）とすることで、オペレータに対する伝達の容易化、オペレータの聞き間違いの防止を図っている。
【先行技術文献】
【特許文献】
【０００６】
【特許文献１】特開２０１０−１４０２５６号公報
【発明の概要】
【発明が解決しようとする課題】
【０００７】
しかしながら上記特許文献１は情報処理装置に何らかの障害が起こったときにその原因となる内部状態（すなわち障害の原因）に対応するステータスコードを表示するものであって、情報処理装置の現在の設定状態（設定情報）を表示するものではない。
【０００８】
本発明は、上述した問題点に鑑み、現在の設定情報を容易に認識可能な情報記録再生装置及び設定情報の表示方法を提供することを目的とする。
【課題を解決するための手段】
【０００９】
上記目的を達成するために本発明の情報記録再生装置は、自装置に関する設定情報を記憶する記憶部と、前記設定情報を取得し、前記設定情報を所定の基準に基づいてコード化して該コード化された前記設定情報を表示部に表示する制御部と、を有することを特徴とする。
【００１０】
この構成によると、自装置の設定情報がコード化されて表示手段に表示される。
【００１１】
また本発明は、上記構成の情報記録再生装置において前記記憶部は前記設定情報を２進記数法で記憶しており、前記所定の基準は２進記数法で記憶された前記設定情報を１６進記数法に変換することであることが望ましい。
【００１２】
この構成によると、多くの設定項目の設定情報が少ない文字数でコード化される。
【００１３】
また本発明は、上記構成の情報記録再生装置において、前記制御部は前記表示部に前記設定情報を変更するための設定画面が表示されているときに、該設定画面上にコード化された前記設定情報を表示することが望ましい。
【００１４】
この構成によると、設定画面を表示するだけでコード化された設定情報が表示される。
【００１５】
また本発明は、上記構成の情報記録再生装置において、前記設定情報は複数のグループに分類されて前記記憶部に記憶され、前記制御部はグループ毎に前記設定情報をコード化することが望ましい。
【００１６】
この構成によると、グループ毎にコード化された設定情報が表示されるので、グループとコード化された設定情報との対応関係が把握しやすい。
【００１７】
また本発明は、上記構成の情報記録再生装置において、コード化された前記設定情報は、表示／非表示が切り替え可能であることが望ましい。
【００１８】
この構成によると、ユーザの要求に応じて表示／非表示が切り替わるので、必要に応じてコード化された設定情報を表示し、また、不要なときにコード化された設定情報を非表示にすることができる。
【００１９】
また本発明は、上記構成の情報記録再生装置において、コード化された前記設定情報は変更可能に表示されており、前記制御部はコード化された前記設定情報が変更されたときに、変更後の該コードに基づいて前記設定情報を変更することが望ましい。
【００２０】
この構成によると、ユーザはコードを直接入力することで各設定項目の設定情報を変更することができる。
【００２１】
また本発明は、上記構成の情報記録再生装置において、前記制御部は複数の設定項目を１区画としてコード化された前記設定情報を区切ることが望ましい。
【００２２】
この構成によると、コード化された設定情報が複数の設定項目毎に区切られて表示されるので、設定項目とコード化された設定情報との対応関係が把握しやすい。
【００２３】
上記目的を達成するために本発明の設定情報の表示方法は、自機に関する設定情報を取得するステップと、前記設定情報を所定の基準に基づいてコード化するステップと、コード化された前記設定情報を表示部に表示するステップと、を有することを特徴とする。
【発明の効果】
【００２４】
本発明によると、自装置の設定情報がコード化されて表示手段に表示されるので、ユーザは現在の設定情報を容易に認識することができる。また、他者（例えばコールセンターのオペレータ）に対してコード化された設定情報（以下、「コード化された設定情報」を「設定情報のコード」ともいう。）を伝達するだけで、他者はその装置の現在の設定情報を把握することができる。
【図面の簡単な説明】
【００２５】
【図１】は、本発明の情報記録再生装置の構成の一例を示すブロック図である。
【図２】は、本発明の情報記録再生装置において表示部に表示される設定画面の一例を示す第１の図である。
【図３】は、本発明の情報記録再生装置において表示部に表示される設定画面の一例を示す第２の図である。
【図４】は、本発明の情報記録再生装置の記憶部が記憶する各設定項目の設定情報と設定画面に表示される各設定項目の設定情報との関係を示す図である。
【図５】は、本発明の情報記録再生装置の記憶部が記憶する各設定項目の設定情報を示す図である。
【図６】は、本発明の情報記録再生装置の制御部が行う処理の流れを示すフローチャートである。
【図７】は、本発明の情報記録再生装置において表示部に表示される設定画面の一例を示す第３の図である。
【図８】は、本発明の情報記録再生装置において表示部に表示される設定画面の一例を示す第４の図である。
【図９】は、本発明の情報記録再生装置において表示部に表示される設定画面の一例を示す第５の図である。
【発明を実施するための形態】
【００２６】
以下に本発明の実施形態について図面を参照して説明する。但し、以下に示す実施形態は、本発明の技術的思想を具体化するために本発明の情報記録再生装置の一例である光ディスク装置を示すものであって、本発明をこの光ディスク装置に特定することを意図するものではなく、特許請求の範囲に含まれるその他の実施形態の情報記録再生装置にも等しく適応し得るものである。
【００２７】
図１は本発明の光ディスク装置１の構成を示すブロック図である。光ディスク装置１は制御部１１、表示部１２、操作部１３、記憶部１４を備える。
【００２８】
制御部１１は光ディスク装置１全体を総括的に制御する制御手段である。制御部１１はＣＰＵ１０１とＲＯＭ１０２とＲＡＭ（メモリ）１０３とを含んでいる。ＲＯＭ１０２には制御部１１が実行するプログラム、プログラムの実行に必要なパラメータやデータが記憶されている。ＣＰＵ１０１はＲＯＭ１０２に記憶されている各種プログラムを実行する。ＲＡＭ（メモリ１０３）は各種処理の過程で得られるデータや各種処理の結果得られるデータを一時的に格納する。これらＣＰＵ１０１、ＲＡＭ１０２、ＲＯＭ１０３等は、バスを介して接続されている。なお、ＣＰＵ１０１、ＲＯＭ１０２及びＲＡＭ１０３はこれらの一部または全部を１チップに集積化しても構わない。
【００２９】
制御部１１は後述するように記憶部１４に記憶されている光ディスク装置１の設定情報を所定の基準でコード化して表示部１２に表示する。
【００３０】
表示部１２は映像やメニュー画面、設定画面を表示するための表示手段である。ここで表示部１２に表示される設定画面について図２及び図３を参照しながら説明を行う。なお、各図において黒画像に白抜き文字が表示されている部分（文字が反転表示されている部分）は、ユーザによって選択されている部分を示すものとする。また、以下に示す設定メニュー名及び設定項目名、それらの表示態様等は一例であって、これに限られるものではない。
【００３１】
設定画面には光ディスク装置１の現在の設定情報が設定項目毎に表示される。本実施形態において設定画面の第１層（図２の設定画面左側の領域）には図２に示すように設定メニューが表示され、本実施形態ではビデオ出力設定（Ｖｉｄｅｏ  Ｏｕｔ）、音声出力設定（Ａｕｄｉｏ  Ｏｕｔ）、ネットワーク設定（Ｎｅｔｗｏｒｋ）、ＨＤＭＩ設定（ＨＤＭＩ）、プレイバック設定（Ｐｌａｙｂａｃｋ）、その他設定（Ｏｔｈｅｒｓ）が表示される。
【００３２】
また、設定画面の第２層（図２の設定画面右側の領域）には第１層において選択されている設定メニューに分類される設定項目及び各設定項目の設定情報が表示される。本実施形態において第１層では「Ａｕｄｉｏ  Ｏｕｔ」が選択されているため、第２層には「Ａｕｄｉｏ  Ｏｕｔ」に分類される設定項目（「ＤＲＣ」、「Ｄｏｗｎｓａｍｐｌｉｎｇ」、「ＢＤ  Ａｕｄｉｏ  Ｍｏｄｅ」、「Ｄｉｇｉｔａｌ  Ｏｕｔｐｕｔ」）及び各設定項目の設定情報（「Ａｕｔｏ」、「Ｏｎ」、「Ｍｉｘ  Ａｕｄｉｏ  Ｏｕｔｐｕｔ」、「Ｂｉｔｓｔｒｅａｍ」）が表示される。
【００３３】
ここで各設定項目について簡潔に説明を行う。「ＤＲＣ」は夜間などにおいて、音声信号の音量範囲を圧縮することで、過剰な大音量を抑制したり、セリフを聞き取りやすくしたりする機能である。「Ｄｏｗｎｓａｍｐｌｉｎｇ」はＬＰＣＭで記録されたＢＤやＤＶＤの再生時におけるデジタル音声の出力の設定であり、「Ｏｎ」状態では、高音質（例えば９６ｋＨｚ）で出力され、「ＯＦＦ」状態では通常音質（例えば４８ｋＨｚ）で出力される。
【００３４】
「ＢＤ  Ａｕｄｉｏ  Ｍｏｄｅ」は例えば第一音声、第二音声が記録されたＢＤの再生時に、全ての音声（第一音声及び第二音声）を出力するか、第一音声のみを出力するかの設定である。「Ｄｉｇｉｔａｌ  Ｏｕｔｐｕｔ」は音声の出力形式の設定である。
【００３５】
設定画面の第３層（図３においては設定画面が３つの層に分けられており、左から順に第１層、第２層、第３層である）には第２層において選択され、且つ、設定情報の詳細表示（選択肢の表示）指示がなされた設定項目の設定情報の選択肢が表示される。本実施形態において第２層で「ＤＲＣ」が選択された状態で詳細表示指示がなされているため、第３層には現在の設定情報である「Ａｕｔｏ」に加え、「Ｏｎ」、「Ｏｆｆ」が表示される。ユーザは例えば第３層において「Ｏｎ」を選択することで、「ＤＲＣ」の設定情報を「Ａｕｔｏ」から「Ｏｎ」に変更することができる。
【００３６】
このようにユーザは光ディスク装置１において、各設定項目の設定画面を表示させてその設定情報を確認することで、任意の設定項目の現在の設定情報を知ることができる。しかしながら、確認したい設定項目が複数存在する場合、設定画面の切り替えをその都度行わなければならず煩雑である。また、確認したい設定項目（特に設定画面の第３層以降に表示される設定項目）がどの設定メニューに含まれるかが分からない場合には確認したい設定項目を表示するための多くの時間を要することになる。そこで本実施形態では図２及び図３に示すように設定画面の第２層の右下領域において設定情報のコードが表示される。なお、設定情報のコードに関する詳細は後述する。
【００３７】
操作部１３は映像の再生や停止を行ったり、メニューや設定画面を操作したりするための入力操作手段である。なお、操作部１３としては、光ディスク装置１本体に各種のキーやボタンを設けてもよいし、表示部１２にタッチパネル機能を付加してもよい。また、操作部１３として光ディスク装置１本体を遠隔操作するためのリモートコントローラを操作部１３として用いても構わない。
【００３８】
記憶部１４は光ディスク装置１の設定情報を記憶する記憶手段である。設定情報の記憶形式は特に限られるものではないが、本実施形態においては光ディスク装置１の設定情報を２進記数法で記憶する。図４は、本実施形態の光ディスク装置１の設定画面に表示される各設定項目の設定情報と記憶部に記憶される各設定項目の設定情報との関係を示す図である。また図５は、本実施形態の光ディスク装置１の記憶部に記憶される各設定項目の設定情報の一部を示す図である。
【００３９】
図２及び図３に示す「Ａｕｄｉｏ  Ｏｕｔ」の各設定項目において、「ＤＲＣ」は「Ｏｎ」、「Ｏｆｆ」、「Ａｕｔｏ」のいずれかが選択可能であり、「Ｄｏｗｎｓａｍｐｌｉｎｇ」は「Ｏｎ」、「Ｏｆｆ」のいずれかが選択可能であり、「ＢＤ  Ａｕｄｉｏ  Ｍｏｄｅ」は「Ｍｉｘ  Ａｕｄｉｏ  Ｏｕｔｐｕｔ」（以下、「Ｍｉｘ」ともいう。）、「ＨＤ  Ａｕｄｉｏ  Ｏｕｔｐｕｔ」（以下、「ＨＤ」という。）のいずれかが選択可能であり、「Ｄｉｇｉｔａｌ  Ｏｕｔｐｕｔ」は「Ｂｉｔｓｔｒｅａｍ」、「Ｏｆｆ」、「ＰＣＭ」のいずれかが選択可能である。
【００４０】
これら各設定項目において選択可能な設定情報は夫々図４に示すように２進記数法による数値が割り当てられており、記憶部１４には設定項目毎に、現在の設定情報に対応する数値が記憶される。図２においては上述した４つの設定項目において、それぞれ上から順に「Ａｕｔｏ」、「Ｏｎ」、「Ｍｉｘ」、「Ｂｉｔｓｔｒｅａｍ」（図４において「Ｂｉｔｓｔｒｅａｍ」は「Ｂｉｔ」と省略されている）が選択されているため、記憶部１４には図５に示すように各設定項目において「１０」、「１１」、「１１」、「１１」が記憶される。
【００４１】
図６は本発明の光ディスク装置１の制御部１１が行う処理（より詳細には設定画面の表示処理）の流れを示すフローチャートである。
【００４２】
ユーザから光ディスク装置１の設定画面の表示要求があると、制御部１１は光ディスク装置１の設定画面を表示する（ステップＳ０１）。表示される設定画面は上記図２に示すような設定画面であり、第１層及び第２層が表示される。
【００４３】
なお、初期状態の設定画面において、第１層には設定メニューが表示されるがユーザにより設定メニューのいずれかが選択されていない場合において第２層に何を表示するかは限られるものではない。例えば、何も表示しないこととしてもよいし、前回設定画面を表示した際に選択した設定メニューの設定項目を表示することとしてもよいし、設定メニューにおいて最も上位に位置する設定メニュー（図２においては「Ｖｉｄｅｏ  Ｏｕｔ」）の設定項目を表示することとしてもよい。
【００４４】
制御部１１は、ユーザにより設定画面の第１層に表示した設定メニューのいずれかが選択されれば、選択された設定メニューの設定項目及び各設定項目の設定情報を設定画面の第２層に表示する（ステップＳ０２）。さらに制御部１１は第２層に表示された設定項目の設定情報を記憶部１４から取得するとともに、当該設定情報をコード化して第２層の所定の領域（図２及び図３においては第２層の右下領域）に表示する（ステップＳ０３）。
【００４５】
上述したように記憶部１４には各設定項目の設定情報が２進記数法で記憶されており、制御部１１は２進記数法で記憶された設定情報を、１６進記数法に変換して表示する。すなわち、図４に示すように記憶部１４に記憶されている「Ａｕｄｉｏ  Ｏｕｔ」の設定項目の設定情報は「１０１１１１１１」であるため、これを１６進記数法で変換した「ＢＦ」が設定画面の第２層に表示される。なお、本実施形態において制御部１１は１６進記数法を用いて設定情報をコード化しているが、これに限られるものではなく、その他の記数法を用いてもよいし、任意のコード化基準を用いることとしてもよい。
【００４６】
ステップＳ０４において制御部１１は設定情報が変更されたか否かを判定する。設定情報が変更されれば（ステップＳ０４のＹ）ステップＳ０５に進み、設定情報が変更されなければステップＳ０６に進む。
【００４７】
設定情報が変更されれば制御部１１は変更後の設定情報をコード化して設定画面の第２層に当該コードを表示する。すなわちステップＳ０３において表示したコードを、最新のコードに変更して表示する。
【００４８】
なお、本実施形態ではユーザが設定項目で設定情報を変更し、その後、制御部１１が設定情報のコードを変更することとしたが、これに限られるものではなく、ユーザが設定情報のコードを変更し、その後、制御部１１が各設定項目の設定情報を変更することとしてもよい。すなわち、ユーザが設定画面の第２層に表示されている設定情報コードを選択し、操作部１３を介して所望のコード（例えば「ＦＦ」）を入力することにより、制御部１１が当該コードに基づいて各設定項目の設定情報を変更する（例えばコードとして「ＦＦ」が入力された場合には、設定項目「ＤＲＣ」の設定情報が「Ａｕｔｏ」から「Ｏｎ」に変更される）こととしてもよい。
【００４９】
ステップＳ０６において制御部１１はユーザにより設定画面の表示終了要求があったか否かを判定する。表示終了要求があればステップＳ０７に進んで設定画面の表示を終了し、表示終了要求がなければステップＳ０４に戻る。
【００５０】
ステップＳ０８において制御部１１は光ディスク装置１の現在の設定情報を記憶部１４に記憶させる。なお、ステップＳ０４で設定内容が変更されていない場合には、現在の設定情報を改めて記憶しないこととしてもよい。
【００５１】
本実施形態によれば、設定メニュー毎に設定項目の設定情報がコード化されて表示されるので、ユーザは情報記録再生装置の現在の設定情報を即座に認識することができる。また、設定情報がコード化されることで情報記録再生装置の現在の設定情報を他者に伝達することが容易になる。
【００５２】
また、情報記録再生装置の設定情報を変更する際に、コード入力によって変更することとすれば、複数の設定項目における設定情報の変更を、一度の操作（コード入力操作）で同時に行うことができる。
【００５３】
なお、上記実施形態において制御部１１は設定画面を表示するとともに設定情報のコードを表示することとしているが、ユーザから要求があるまで設定情報のコードを表示しないこととしてもよい。すなわち、ユーザが操作部１３を介して設定情報のコードの表示／非表示を切り替え可能としてもよい。
【００５４】
これにより、ユーザは必要に応じて設定情報のコードの表示を要求することができるので、不必要な表示を防ぐことができる。特に、後述するように、設定情報のコードを光ディスクの再生映像表示中に重ねて表示することとした場合に、設定情報のコードの表示／非表示を選択可能とすることで、設定情報のコードによって映像の視聴が妨げられるのを防ぐことができる。
【００５５】
また、上記実施形態において制御部１１は複数の設定項目を１区画として設定情報のコードを区切って表示することとしてもよい。すなわち設定項目が多く、それに伴ってコードの桁数が多くなったときに、複数の設定項目に対応するコード毎を１区画として、各区画の間にカンマ（，）を挿入することで設定情報のコードを区切る。
【００５６】
例えばコードが「ＢＦＥＣ８ＡＣＥ」であるときに、４つの設定項目毎（本例において各設定項目において設定情報は「Ｏｎ」、「Ｏｆｆ」の二つであることとする）にカンマで区切って「ＢＦ，ＥＣ，８Ａ，ＣＥ」と表示する。これにより、ユーザは現在の設定情報をより容易に把握しやすくなる。また、他者の要求に応じて設定情報のコードの一部（例えば３つ目の区画に表示されている設定情報のコード）を伝えることが容易になる。
【００５７】
また、上述したように設定情報をコード入力によって変更可能とした場合において、区切られた区画毎にコード入力を可能とすれば、コード入力を行う際に全てのコードを入力する必要がないので設定情報の変更がより容易になる。
【００５８】
また、上記実施形態において制御部１１は設定画面の第２層に設定情報のコードを表示することとしたが、これに限られるものではなく、例えば設定画面の第２層以外に設定情報をコード化して表示することとしてもよい。また、コードの表示位置を設定画面の第２層の右下領域としたが右下領域のみに限られるものではなく任意の領域に表示することとしてもよい。
【００５９】
ここで設定画面の第２層以外に設定情報をコード化して表示する場合について図７〜図９を参照して説明を行う。図７に示す設定画面は第２層に設定項目「Ｓｐｅａｋｅｒ  Ｓｅｔｕｐ」が表示されている点及び表示されているコードが、図２に示す設定画面と異なる。上記実施形態において、設定画面は第３層まで有することとして説明したが、表示階層は第３層までに限られるものではない。例えば図７に示す設定画面の第２層において「Ｓｐｅａｋｅｒ  Ｓｅｔｕｐ」の設定情報欄は空白（空欄）となっている。これは「Ｓｐｅａｋｅｒ  Ｓｅｔｕｐ」自体が複数の設定項目を有する設定項目であるからである。
【００６０】
このように第２層に表示される設定項目それ自体が複数の設定項目を有する場合には、第２層の設定項目を選択し、詳細表示を指示することで、図８に示すような設定画面が表示される。図８において設定画面には第１層及び第２層が表示されておらず、設定画面左側の領域が第３層、右側の領域が第４層となっている。すなわち、第３層に表示されている設定項目「Ｓｐｅａｋｅｒ  Ｌａｙｏｕｔ」、「Ｓｕｒｒｏｕｎｄ  Ｅｆｆｅｃｔｓ」、「Ｓｐｅａｋｅｒ  Ｄｉｓｔａｎｃｅ」、「Ｓｐｅａｋｅｒ  Ｖｏｌｕｍｅ」は夫々図７に示す設定項目「Ｓｐｅａｋｅｒ  Ｓｅｔｕｐ」に含まれる設定項目である。
【００６１】
このように一の設定項目が複数の他の設定項目を有する場合は当該一の設定項目が選択され、詳細表示指示がなされることで、当該一の設定項目が表示されている階層よりも下層に当該複数の他の設定項目を表示される。すなわち図８に示すように設定項目「Ｓｕｒｒｏｕｎｄ  Ｅｆｆｅｃｔｓ」はそれ自体がさらに複数の設定項目を有するため、「Ｓｕｒｒｏｕｎｄ  Ｅｆｆｅｃｔｓ」が選択された状態で詳細表示指示がなされることにより、第４層には「Ｓｕｒｒｏｕｎｄ  Ｅｆｆｅｃｔｓ」に分類される設定項目（「Ｃｅｎｔｅｒ  Ｗｉｄｔｈ」、「Ｄｉｍｅｎｓｉｏｎ」、「Ｐａｎｏｒａｍａ」）及び各設定項目の設定情報（「３」、「０」、「Ｏｆｆ」）が表示される。
【００６２】
そして設定画面の第５層には第４層において選択され、且つ、設定情報の詳細表示（選択肢の表示）指示がなされた設定項目の設定情報の選択肢が表示される。本実施形態において第４層で「Ｐａｎｏｒａｍａ」が選択された状態で詳細表示指示がなされているため、第５層には現在の設定情報である「Ｏｆｆ」に加え、「Ｏｎ」が表示される。ユーザは例えば第５層において「Ｏｎ」を選択することで、「Ｐａｎｏｒａｍａ」の設定情報を「Ｏｆｆ」から「Ｏｎ」に変更することができる。
【００６３】
このような場合に第３層及び／又は第４層にコードを表示することとしてもよい。すなわち第３層には、第３層に表示される４つの設定項目の設定情報のコードが表示され、第４層には、第４層に表示される３つの設定項目の設定情報のコードが表示されることとしてもよい。第４層において表示されるコードについて詳説すると、例えば「Ｃｅｎｔｅｒ  Ｗｉｄｔｈ」の設定情報の選択肢が「０」〜「７」の合計８個、「Ｄｉｍｅｎｓｉｏｎ」の選択肢が「０」〜「３」の合計４個、「Ｐａｎｏｒａｍａ」の選択肢が上述したように「Ｏｎ」、「Ｏｆｆ」の２個であるとしたときに、現在の設定はそれぞれ「３」、「０」、「Ｏｆｆ」であるから２進記数法ではそれぞれ、「１１１」、「０１１」、「０１」となる。従って、「１１１０１１０１」を１６進記数法で変換した「ＥＤ」をコードとして第４層に表示する。
【００６４】
よって、例えば、設定項目「Ｓｐｅａｋｅｒ  Ｌａｙｏｕｔ」の設定情報のコードを「ｘｘ」、設定項目「Ｓｐｅａｋｅｒ  Ｄｉｓｔａｎｃｅ」の設定情報のコードを「ｙｙ」、設定項目「Ｓｐｅａｋｅｒ  Ｖｏｌｕｍｅ」の設定情報のコードを「ｚｚ」とすると、第３層には第４層に表示されるコード「ＥＤ」を含むコード「ｘｘＥＤｙｙｚｚ」が表示される。また、第２層には第３層に表示される「ｘｘＥＤｙｙｚｚ」を含むコード「ＢＦｘｘＥＤｙｙｚｚ」が表示される。
【００６５】
なお、本例では各階層にそれぞれ各階層に表示される設定項目の設定情報のコードを表示することとしたが、例えば全ての階層において全設定項目の設定情報のコード（すなわち「ＢＦｘｘＥＤｙｙｚｚ」）を表示することとしてもよい。
【００６６】
また、上記実施形態では、設定メニュー毎に当該設定メニューの設定項目の設定情報をコード化してそのコードを表示することとしたが、光ディスク装置１の設定情報の全てをコード化してそのコードを表示することとしてもよい。すなわち、図２においては「Ａｕｄｉｏ  Ｏｕｔ」が選択されている場合において、「Ａｕｄｉｏ  Ｏｕｔ」に含まれる設定項目の設定情報のコードを表示することとしたが、「Ａｕｄｉｏ  Ｏｕｔ」を含め全ての設定メニューに含まれる設定項目の設定情報をコード化し、そのコードを表示することとしてもよい。
【００６７】
これにより、常に全ての設定情報を把握することができるので、設定の確認を要する箇所が複数の設定メニューにわたる場合であっても即座に全ての設定項目の設定情報のコードを認識することができる。また、全ての設定項目の設定情報のコードを表示する際には、設定メニュー毎に分けて設定情報のコードを表示する（例えば設定メニュー毎に行を変えてコードを表示する）ことによりコードと設定メニューとの対応関係を容易に認識することができる。
【００６８】
また、上記実施形態では、設定情報のコードを設定画面上に表示することとしたが、設定画面上に表示することに限られず、例えば、光ディスクの再生映像表示中等に表示することとしてもよい。
【産業上の利用可能性】
【００６９】
本発明は、情報記録再生装置及び設定情報の表示方法に利用できる。
【符号の説明】
【００７０】
１      光ディスク装置
１１    制御部
１２    表示部
１３    操作部
１４    記憶部
【図１】
2014044636.tif 000003
【図２】
2014044636.tif 000004
【図３】
2014044636.tif 000005
【図４】
2014044636.tif 000006
【図５】
2014044636.tif 000007
【図６】
2014044636.tif 000008
【図７】
2014044636.tif 000009
【図８】
2014044636.tif 000010
【図９】
2014044636.tif 000011